(57)【特許請求の範囲】
【請求項１】
第２の配線と第１の配線を電気的に接続する第１のコネクタと、
交流電源からの電力が供給されるとともに、前記第２の配線が接続された端子台を有する本体ユニットと、
前記本体ユニットに取り付けられる光源ユニットと、
前記光源ユニットに直流の電力を供給するとともに、前記第１の配線が接続される点灯装置と、
を備え、
前記第１のコネクタは、筐体と、前記筐体から延びる爪を有し、
前記爪は、前記筐体の底面と直交する断面において、前記底面から延びる第１の断面及び前記第１の断面から延びる第２の断面を有し、
前記第２の断面の幅は、前記第１の断面の幅よりも広く形成され、
前記本体ユニットは、前記爪が嵌合する穴部が設けられ、
前記穴部は、長尺状の第１の領域と、前記第１の領域と長手方向に隣接する長尺状の第２の領域とで構成され、前記第１の領域の短手方向の幅は、前記第２の領域の短手方向の幅よりも短い照明器具。
【請求項２】
前記第１のコネクタは、
前記底面から前記爪が延びる方向と同じ方向へ突設した凸部を有し、
前記本体ユニットは、
前記穴部に対して短手方向に隣接して、前記凸部と嵌め合いする位置決め穴が設けられている請求項１に記載の照明器具。
【請求項３】
前記第１のコネクタは、
前記底面から前記爪が延びる方向と反対方向へ凹む凹部を有し、
前記本体ユニットは、
前記穴部に対して短手方向に隣接して、前記凹部と嵌め合いする舌片が設けられている請求項１に記載の照明器具。
【発明の詳細な説明】
【技術分野】
【０００１】
本発明は、電線と電線を接続するコネクタおよびコネクタを備えた照明器具に関する。
【背景技術】
【０００２】
従来、電線と電線を接続するコネクタは、コネクタが納められた装置内に固定されずに移動可能な状態で置かれるタイプが多い。しかし、移動可能な状態で置かれるタイプのコネクタは、コネクタが納められた装置に振動などが加わった場合、コネクタが周辺の部材とぶつかることで異音が発生したり、電線の被覆が破損したりする恐れがあった。また振動により電線に張力が加わった場合、コネクタからコンタクトが脱出したり、コネクタの嵌合部が外れたりするなど通電状態が不安定になる恐れがあった。
【０００３】
そのため、コネクタをクリップで装置に固定し、コネクタの移動を防止する固定装置を備えたコネクタが提案されている。（例えば、特許文献１。）
【先行技術文献】
【特許文献】
【０００４】
【特許文献１】公開実用平成１−１３０２７７公報  （図１）
【発明の概要】
【発明が解決しようとする課題】
【０００５】
しかしながら、特許文献１に記載の固定装置を備えたコネクタは、コネクタを嵌合させた状態でコネクタをパネルに固定する。そのため、他方のコネクタと接続された器具の交換の度に、パネルに挿入されたコネクタのクリップを取り外す必要があるため作業性が悪く、また、取り外しの際にクリップが変形するおそれがあり、コネクタをパネルに固定できず器具の交換後再度使用できないという課題が生じていた。
【０００６】
この発明は、上記実情に鑑みてなされたものであり、コネクタが納められた装置に振動などが加わった場合であっても、異音の発生や不安定な通電状態を防ぐとともに、取り付け作業性に優れ、繰り返し使用することができる経済的なコネクタおよびコネクタを備えた照明器具を提供することを目的とする。
【０００７】
上記目的を達成するために、本発明は、第２の配線と電気的に接続される第１の配線を保持する筐体と、筐体から延びる爪を有し、爪は、筐体の底面と直交する断面において底面から延びる第１の断面と第１の断面から延びる第２の断面を有し、第２の断面の幅は、第１の断面の幅よりも広いコネクタおよびコネクタを備えた照明器具を備えたものである。
【発明の効果】
【０００８】
本発明によれば、コネクタの引掛り部の面積よりも広い穴と狭い穴を連通させた穴を設け、広い穴に挿入した後に狭い穴に移動させることで引掛り部が本体に固定されるので、コネクタの係り部形状を変形させることなく本体に固定させることができ、コネクタが着脱によって変形する恐れがなく、繰り返し使用することができる経済的なコネクタを提供することができる。
【図面の簡単な説明】
【０００９】
【図１】実施の形態１に係る照明器具の外観を示す下方からの斜視図である。
【図２】実施の形態１に係る照明器具の本体ユニットからカバー部材を取り外した状態を示す図である。
【図３】実施の形態１に係る照明器具の本体ユニットの内部に形成された穴を示す拡大図である。
【図４】実施の形態１に係る照明器具に備えられたメス型コネクタとオス型コネクタが本体ユニット内部に固定された様子を示す図である。
【図５】実施の形態１に係る照明器具に備えられたメス型コネクタの構造を示す図であり、（ａ）はメス型コネクタの構造を示す斜視図、（ｂ）はメス型コネクタの構造を示す側面図、（ｃ）はメス型コネクタの構造を示す正面図ある。
【図６】実施の形態１に係る照明器具の本体ユニットに固定されたメス型コネクタの爪のひとつを拡大して示す断面図である。
【図７】実施の形態１に係る照明器具に備えられたメス型コネクタが本体ユニットに形成された穴と嵌合した状態を示す平面図である。
【図８】実施の形態２に係る照明器具に備えられたメス型コネクタの構造を示す図であり、（ａ）はメス型コネクタの構造を示す側面図、（ｂ）はメス型コネクタの構造を示す平面図である。
【図９】実施の形態２に係る照明器具に備えられたメス型コネクタが本体ユニットに形成された穴と嵌合した状態を示す平面図である。
【図１０】実施の形態３に係る照明器具に備えられたメス型コネクタの構造を示す斜視図である。
【図１１】実施の形態３に係る照明器具に備えられたメス型コネクタが本体ユニットに形成された舌片と嵌合した状態を示す図であり、（ａ）はメス型コネクタの側面と平行な面で切断した断面図、（ｂ）は、本体ユニットの表面の裏側から眺めた平面図である。
【図１２】実施の形態３に係る照明器具に備えられたメス型コネクタの構造を示す斜視図である。
【図１３】実施の形態３に係る照明器具に備えられたメス型コネクタが本体ユニットに形成された舌片と嵌合した状態を示す図であり、（ａ）はメス型コネクタの側面と平行な面で切断した断面図、（ｂ）は、本体ユニットの表面の裏側から眺めた平面図である。
【図１４】実施の形態５に係る照明器具に備えられたメス型コネクタの構造を示す斜視図である。
【図１５】実施の形態５に係る照明器具に備えられたメス型コネクタが本体ユニットに形成された穴と嵌合した状態を示す図であり、（ａ）はメス型コネクタの側面と平行な面で切断した断面図、（ｂ）は、本体ユニットの表面の裏側から眺めた図である。
【発明を実施するための形態】
【００１０】
実施の形態１．
以下、本発明の実施の形態に係るコネクタおよびコネクタを備えた照明器具について、図面を参照し説明する。全図を通じて同一の要素には同一の符号を付す。また、同一の要素に関して重複する説明は省略する。なお、これらの実施の形態によって本発明が限定されることはない。
【００１１】
図１は、実施の形態１に係る照明器具の外観を示す下方からの斜視図である。図２は、実施の形態１に係る照明器具の本体ユニットからカバー部材を取り外した状態を示す図である。図３は本体ユニットの内部に形成された穴を示す拡大図である。図１、２に示すように、本実施の形態１に係る照明器具１は、金属製の長尺状の本体ユニット１０と、本体ユニット１０に取り付けられ、円弧形状を有する半円柱のカバー部材２０とを備えている。
【００１２】
図２に示すように、カバー部材２０の内側には、点灯装置３０と、点灯装置３０に接続された光源ユニット４０とが固定されている。点灯装置３０は光源ユニット４０に直流の電力を供給し、光源ユニット４０の点灯や消灯、光源ユニット４０から発せられる光の強さ等を制御する装置である。点灯装置３０には光源側電源配線である第１の配線５１が接続され、第１の配線５１の端部にはメス型コネクタ５２が設けられている。光源ユニット４０としては、例えばＬＥＤや有機ＥＬ、蛍光管等が適用可能であり、中でも、省エネルギー化の観点から、ＬＥＤが好ましい。
【００１３】
本体ユニット１０の内部には、電源端子台１１が固定され、電源端子台１１には、図示しない交流電源からの電力を電源端子台１１へと流す電源端子台配線６０、図示しないアース線、第２の配線６１が接続されている。第２の配線６１の端部にはオス型コネクタ６２が設けられ、第２の配線６１は交流電源からの電力をオス型コネクタ６２へと流す電気配線である。また、本体ユニット１０内部の表面には点灯装置３０から延びる第１の配線５１の端部に設けられたメス型コネクタ５２が嵌め込まれる２つの係止穴１０ａが形成されている。
【００１４】
図３に示すように、２つの係止穴１０ａのうちのひとつである第１の係止穴１０１ａは、本体ユニット１０の長手方向に延びる長尺状の第１の領域と長尺状の第２の領域とで形成されている。第１の領域の短手方向の一番短い幅は幅Ｗ１であり、第２の領域の短手方向の幅は幅Ｗ２であり、幅Ｗ１は幅Ｗ２よりも狭い。
【００１５】
また、第１の領域の長手方向の長さは奥行Ｄ１であり、第２の領域の長手方向の長さは奥行Ｄ２である。奥行Ｄ１は奥行Ｄ２よりも長い方が好ましいが、同じ長さであっても、奥行Ｄ２の方が長くても良い。
【００１６】
第１の領域と第２の領域は長手方向に隣接し、互いに連通している。また、第１の領域と第２の領域の短手方向の始点は一致し、第２の領域は短手方向の終点に向かって第２の領域よりも（Ｗ２−Ｗ１）延びている。なお、第１の領域における、第２の領域と連通する端部は傾斜した幅を有しており、第２の領域との接点部分の幅はＷ２である。
【００１７】
２つの係止穴１０ａのうちのひとつである第２の係止穴１０２ａの形状は、本体ユニット１０の短手方向において、第１の係止穴１０１ａの形状と鏡像対称であり、第１の係止穴１０１ａと間を開けて形成されている。なお、形状が同じであるため以降の説明では、第１の係止穴１０１ａと第２の係止穴１０２ａの区別をつけずに係止穴１０ａで説明する。
【００１８】
電源端子台１１と点灯装置３０とは、第２の配線６１、オス型コネクタ６２、メス型コネクタ５２及び第１の配線５１を介して接続されている。これにより、交流電源からの電力が点灯装置３０に供給されるようになっており、点灯装置３０に供給された電力は、光源ユニット４０の駆動に用いられる。なお、本体ユニット１０にカバー部材２０を取り付ける際、メス型コネクタ５２は本体ユニット１０に形成された係止穴１０ａに固定され、オス型コネクタ６２はメス型コネクタ５２と嵌合して本体ユニット１０内に保持される。
【００１９】
このように、照明器具１は、メス型コネクタ５２と、オス型コネクタ６２を備えることで、電源端子台１１と点灯装置３０との接続を分離させることができるので、電源端子台１１と点灯装置３０の接続や脱着を天井から離れた位置でおこなうことができる。
【００２０】
次に、メス型コネクタの詳細について説明する。図４は、実施の形態１に係る照明器具に備えられたメス型コネクタとオス型コネクタが本体ユニット内部に固定された様子を示す図である。図５（ａ）は、実施の形態１に係る照明器具に備えられたメス型コネクタの構造を示す斜視図、図５（ｂ）は、実施の形態１に係る照明器具に備えられたメス型コネクタの構造を示す側面図、図５（ｃ）は、実施の形態１に係る照明器具に備えられたメス型コネクタの構造を示す正面図である。
【００２１】
図４、５に示すように、メス型コネクタ５２は、天面５２１、底面５２２、正面５２３、背面５２４、第１の側面５２５、第２の側面５２６の６面を有する箱型の筐体で構成されている。底面５２２は本体ユニット１０と対向する面であり、天面５２１は底面５２１の反対側の面であり、カバー部材２０と対向する面である。
【００２２】
正面５２３は、メス型コネクタ５２がオス型コネクタ６２と嵌合した際にオス型コネクタ６２と対向する面であり、背面４２５は正面５２３の反対側の面である。また、正面５２３は角度が異なる２つの面で構成されており、１つの面は底面５２２から底面５２２と垂直に延びる第１の正面５２３ａであり、一方の１つの面は底面５２２から垂直方向に５ｍｍ以上離れた位置にあり、第１の正面５２３ａから天面５２１に向かうにつれ背面５２４側に傾斜した第２の正面５２３ｂである。第２の正面５２３ｂはメス型コネクタ５２の底面５２２と直交する面（第１の正面５２３ａと平行な面）に対して第１の配線５１の方向（背面５２４の方向）に５度以上３０度以内の角度を有している。
【００２３】
メス型コネクタ５２の筐体の第２の正面５２３ｂにはオス型コネクタ６２が挿入されるコネクタ挿入口５２ａが形成され、背面５２４には第１の配線５１が挿入される電線挿入口５２ｂが形成されている。なお、コネクタ挿入口５２ａは、底面５２２から離れた位置に設けられた第２の正面５２３ｂに設けられているため、オス型コネクタ６２と本体ユニット１０との間に指が入れやすく、オス型コネクタ６２が掴みやすくなるので嵌合作業を容易に行うことができる。
【００２４】
また、オス型コネクタ６２の嵌合だけを考慮すると、コネクタ挿入口５２ａは作業者が力を入れやすいメス型コネクタ５２の筐体の天面５２１に形成されていることが望ましいが、天面５２１に形成すると嵌合時の高さが高くなり場所をとってしまう。そのため、傾斜した第２の正面５２３ｂに嵌合させることで、コネクタ嵌合時の高さを極力低くし、また作業性を改善することができる。さらに、メス型コネクタ５２とオス型コネクタ６２が発熱した場合であっても、空気の循環による放熱効果が期待できる。
【００２５】
メス型コネクタ５２の筐体の天面５２１にはメス型コネクタ５２とオス型コネクタ６２の嵌合の外れを防止する嵌合部５２ｃが形成され、第１の側面５２５及び第２の側面５２６から底面５２２に向かって、本体ユニット１０に係合される爪５２ｄが２つ形成されている。
【００２６】
なお、メス型コネクタ５２の筐体内には、コネクタ挿入口５２ａと電線挿入口５２ｂが連通された空間が形成され、第１の配線５１は電線挿入口５２ｂから筐体内の空間に挿入される。第１の配線５１の端部には端子接続部（コンタクト）５３が圧入されており、端子接続部５３がコネクタ挿入口５２ａに挿入され、保持されることで第１の配線５１がメス型コネクタ５２に保持される。なお、コネクタ挿入口５２ａ、電線挿入口５２ｂ及び接続端子は、第１の配線５１の数と同じ個数設けられ、本実施の形態１では３つずつ設けられている。
【００２７】
嵌合部５２ｃは、メス型コネクタ５２の筐体の天面に一体成型され、正面５２３と平行する面に開口部を有する箱型の筐体で形成されている。オス型コネクタ６２の図示しない嵌合部はバネ性を有しており、バネを縮めた状態で嵌合部５２ｃに挿入される。
【００２８】
次に、爪５２ｄについて詳細に説明する。図６は実施の形態１に係る照明器具の本体ユニットに固定されたメス型コネクタの爪のひとつを拡大して示す断面図である。図６に示す断面は、メス型コネクタ５２の底面と直交する第１の正面５２３ａと平行する面で切断した面である。図７は、実施の形態１に係る照明器具に備えられたメス型コネクタが本体ユニットに形成された穴と嵌合した状態を示す平面図であり、本体ユニットの表面の裏側から眺めた図である。
【００２９】
なお、メス型コネクタ５２の底面５２２から天面５２１に延びる方向を高さ方向、底面５２２から天面５２１に延びる方向を高さ方向、メス型コネクタ５２の第１の正面５２３ａから背面５２４に延びる方向を奥行方向、メス型コネクタ５２の第１の側面５２５から第２の側面５２６に延びる方向を幅方向とする。また、メス型コネクタ５２の爪５２ｄが本体ユニット１０に係合された際に、本体ユニット１０における、メス型コネクタ５２が固定される面に投影される形状を投影形状とし、投影形状の面積を投影面積とする。
【００３０】
爪５２ｄは、図６において、本体ユニット１０に引っかかる半円状の断面を有する引掛り部５２１ｄと、引掛り部５２１ｄの支えとなる矩形状の断面を有する支持部５２２ｄから構成されメス型コネクタ５２の底面５２２から延び、引掛り部５２１ｄの矩形状の断面に相当する第１の断面と、第１の断面から延び、支持部５２２ｄの半円状の断面に相当する第２の断面を有している。
【００３１】
爪５２ｄの引掛り部５２１ｄは、メス型コネクタ５２を本体ユニット１０に固定する際、本体ユニット１０の係止穴１０ａに差し込まれ、本体ユニット１０を介してメス型コネクタ５２の筐体と反対側の面に突出する部分であり、爪５２ｄの支持部５２２ｄは、メス型コネクタ５２が本体ユニット１０に固定された場合に本体ユニット１０の係止穴１０ａに差し込まれている部分である。
【００３２】
爪５２ｄの支持部５２２ｄは、第１の側面５２５の中央部から底面５２２よりもさらに離れた方向に向かって延びており、底面５２２から引掛り部５２１ｄまでの高さは高さＨ１である。また、支持部５２２ｄは筐体の底面５２２と平行に延びる幅Ｗ３を有し、メス型コネクタ５２の第１の正面５２３ａから背面５２４に延びる奥行Ｄ３を有している。
【００３３】
幅Ｗ３は、本体ユニット１０の係止穴１０ａの第１の領域の幅Ｗ１よりも狭く（Ｗ１＞Ｗ３）、奥行Ｄ３はＷ３よりも広い（Ｄ３＞Ｗ３）。支持部５２２ｄの投影形状は、幅Ｗ３と奥行Ｄ３からなる矩形状であり、支持部５２２ｄの高さＨ１はメス型コネクタ５２が固定される本体ユニット１０の表面の厚さＴ１よりも長い（Ｈ１＞Ｔ１）。
【００３４】
また、支持部５２２ｄの投影形状の対角線の長さは長さＬ１であり、本体ユニット１０の係止穴１０ａの第１の領域の幅Ｗ１よりも長い（Ｌ１＞Ｗ１）。このように、本体ユニット１０の係止穴１０ａの短手方向の長さより、係止穴１０ａに差し込まれる支持部５２２ｄの対角線方向の長さの方が長いため、爪５２ｄが係止穴１０ａで回転することを防止することができる。
【００３５】
爪５２ｄの引掛り部５２１ｄは、支持部５２２ｄよりもメス型コネクタ５２の底面５２２から離れた位置に形成され、底面５２２と平行に延びる幅Ｗ４を直径とする円弧状の断面形状を有している。引掛り部５２１ｄは、メス型コネクタ５２の第１の側面５２５よりも外側に突出している。幅Ｗ４は、支持部５２２ｄの幅Ｗ３よりも広い幅であり（Ｗ４＞Ｗ３）、本体ユニット１０の係止穴１０ａの第１の領域の幅Ｗ１よりも広く、係止穴１０ａの第２の領域の幅Ｗ２よりも狭い幅である（Ｗ２＞Ｗ４＞Ｗ１）。
【００３６】
また、引掛り部５２１ｄは、メス型コネクタ５２の第１の正面５２３ａから背面５２４に延びる奥行Ｄ４を有している。奥行Ｄ４は、係止穴１０ａの第１の領域の奥行Ｄ１も短い長さであることが好ましく（Ｄ１＞Ｄ４）、係止穴１０ａの第２の領域の奥行Ｄ２よりも短い長さである（Ｄ２＞Ｄ１）。また、奥行Ｄ４は支持部５２２ｄの奥行Ｄ３と同じであっても、短くても良いが、製造の容易さから奥行Ｄ３よりも短い長さであることが好ましい（Ｄ３＞Ｄ４）。
【００３７】
なお、引掛り部５２１ｄの断面形状は円弧状に限定されず、メス型コネクタ５２の筐体側への移動を制限するため、引掛り部５２１ｄの幅Ｗ４は、支持部５２２ｄの幅Ｗ３よりも長い幅を有していればよい（Ｗ４＞Ｗ３）。
【００３８】
すなわち、爪５２ｄの支持部５２２ｄ及び引掛り部５２１ｄの本体ユニット１０への差し込み方向の投影面積は、係止穴１０ａの第２の領域の投影面積より狭いため、メス型コネクタ５２のコネクタ爪５２ｄは、変形することなく係止穴１０ａの第２の領域を貫通することができる。
【００３９】
また、爪５２ｄの支持部５２２ｄの本体ユニット１０への差し込み方向の投影面積は、係止穴１０ａの第１の領域の投影面積より狭く、爪５２ｄの引掛り部５２１ｄの本体ユニット１０への差し込み方向の投影面積は、係止穴１０ａの第１の領域の投影面積より広いため、本体ユニット１０がメス型コネクタ５２の筐体とコネクタ爪５２ｄとで挟み込まれ、メス型コネクタ５２が本体ユニット１０に固定される。
【００４０】
なお、本実施の形態ではメス型コネクタ５２に爪５２ｄが形成された例を示したが、オス型コネクタ６２に爪が形成され、オス型コネクタ６２が本体ユニット１０に固定されても良く、形態はメス型コネクタに限定されない。また、本実施の形態ではメス型コネクタ５２が第１の配線５１に接続され、オス型コネクタ６２が第２の配線６１に接続されているが、メス型コネクタ５２が第２の配線６１に接続され、オス型コネクタ６２が第１の配線５１に接続されていても良い。
【００４１】
次に、本体ユニット１０にカバー部材２０を取り付ける作業方法について説明する。
まず、メス型コネクタ５２を本体ユニット１０に固定する。具体的には、メス型コネクタ５２の爪５２ｄを本体ユニット１０の係止穴１０ａの第２の領域に挿入し、その後、オス型コネクタ６２を係止穴１０ａの第１の領域へスライドさせる。
【００４２】
爪５２ｄの引掛り部５２１ｄは、引掛り部５２１ｄの幅Ｗ４よりも広い幅Ｗ２を有する係止穴１０ａの第２の領域を抵抗なく通過した後、係止穴１０ａの第１の領域へ移動するが、第１の領域の幅Ｗ１は引掛り部５２１ｄの幅Ｗ４よりも狭いため、爪５２ｄの引掛り部５２１ｄは本体ユニット１０に引掛り、メス型コネクタ５２が本体ユニット１０に固定される。
【００４３】
次に、本体ユニット１０に固定されたメス型コネクタ５２のコネクタ挿入口５２ａに、オス型コネクタ６２を挿入し、メス型コネクタ５２とオス型コネクタ６２を嵌合させる。すると、同時にオス型コネクタ６２の嵌合部が図示しないバネ部を縮めながらメス型コネクタ５２の嵌合部５２ｃに挿入される。
【００４４】
オス型コネクタ６２の嵌合部がメス型コネクタ５２の嵌合部５２ｃに挿入されると、オス型コネクタ６２の嵌合部のバネ部が嵌合部５２ｃ内で元に戻り、メス型コネクタ５２に係止される。これにより、オス型コネクタ６２とメス型コネクタ５２の嵌合の外れが防止される。
【００４５】
メス型コネクタ５２とオス型コネクタ６２が嵌合することで、メス型コネクタ５２の筐体内に保持された端子接続部５３とオス型コネクタ６２の筐体内に保持された端子接続部５３が接続され、第１の配線５１と第２の配線６１とが電気的に接続され、交流電源からの電力がカバー部材２０の内側に備えられた電源装置３０や光源ユニット４０に供給される。そして、カバー部材２０を本体ユニット１０に取り付けて作業が完了する。
【００４６】
以上説明したように、メス型コネクタコネクタとオス型コネクタのうち、一方のコネクタが本体ユニットに固定されているため、コネクタを周辺の部材とぶつからない位置や、電源配線に張力が加わらない位置に固定させることができるので、異音の発生や不安定な通電状態を防ぐことができる。
【００４７】
また、コネクタの爪の引掛り部の面積よりも広い穴と狭い穴を連通させた係止穴を設けることで、抵抗なく差し込むことができる広い穴に挿入した後、狭い穴に移動させ、コネクタが本体ユニットに固定される構成にしたので、コネクタを容易に本体ユニットに固定させることができるとともに、コネクタが着脱によって変形する恐れがなく、繰り返し使用することができる経済的なコネクタを提供することができる。
【００４８】
実施の形態２．
実施の形態１において、コネクタのスライド方向と電源配線の延びる方向が同じため、電源配線に張力が加わるとコネクタのスライド位置が変わり、コネクタの引掛り部の面積よりも広い穴に移動した場合に、コネクタが本体ユニットから外れてしまうおそれがある。そこで、本実施の形態２では、電源配線に張力が加わった場合であっても本体ユニットから外れにくいコネクタについて説明する。
【００４９】
本実施の形態２に係る照明器具の基本構成は、実施の形態１に係る照明器具１と同様であり、メス型コネクタの底面に形成された凸部と、本体ユニットの内側の表面に凸部が嵌合する位置決め穴を有する点のみが異なる。実施の形態１と同一又は同等な構成部分については同一符号を付し、その説明を省略する。
【００５０】
実施の形態２に係る照明器具に備えられたメス型コネクタについて、図８、９を参照して説明する。図８（ａ）は実施の形態２に係る照明器具に備えられたメス型コネクタの構造を示す側面図、図８（ｂ）は実施の形態２に係る照明器具に備えられたメス型コネクタの構造を示す底面図である。図９は、実施の形態２に係る照明器具に備えられたメス型コネクタが本体ユニットに形成された穴と嵌合した状態を示す平面図であり、本体ユニットの表面の裏側から眺めた図である。
【００５１】
なお、メス型コネクタ５２の底面５２２から天面５２１に延びる方向を高さ方向、底面５２２から天面５２１に延びる方向を高さ方向、メス型コネクタ５２の第１の正面５２３ａから背面５２４に延びる方向を奥行方向、メス型コネクタ５２の第１の側面５２５から第２の側面５２６に延びる方向を幅方向とする。
【００５２】
図８（ａ）、（ｂ）に示すように、本実施の形態２に係る照明器具１に備えられたメス型コネクタ５２の底面５２２には、底面５２２から突出した凸部５２ｅが形成されている。凸部５２ｅは奥行方向において爪５２ｄよりも正面５２３寄りに位置し、幅方向においてメス型コネクタ５２の中心に位置している。なお必ずしも中心でなくてもよい。
【００５３】
凸部５２ｅは本体ユニット１０に形成された後述する位置決め穴１０ｂに嵌合する突部である。図８（ｂ）に示すように、メス型コネクタ５２の底面５２２から眺めた凸部５２ｅは、幅方向に長く奥行方向に短い楕円形状であり、幅方向に幅Ｗ５、奥行方向に奥行Ｄ５を有している。
【００５４】
また、図８（ａ）に示すように、凸部５２ｅの先端は爪５２ｄにから爪５２ｄから近い面に向かって傾斜しており、爪５２ｄ遠い面から遠い面の底面５２２からの高さは高さＨ２であり、爪５２ｄに近い面の底面５２２からの高さは高さＨ３である。なお、高さＨ２は高さＨ３よりも低い（Ｈ３＞Ｈ２）。また、高さＨ３は、爪５２ｄの支持部５２２ｄの高さＨ１よりも低く、本体ユニット１０の表面の厚さＴ１よりも短い（Ｈ１＞Ｔ１＞Ｈ３）。なお、高さＨ２と高さＨ３は同じであっても良い。
【００５５】
また、図９に示すように、本体ユニット１０内部の表面にはメス型コネクタ５２の凸部５２ｅが嵌め込まれる位置決め穴１０ｂが形成されている。位置決め穴１０ｂは、第１の係止穴１０１ａと第２の係止穴１０２ａの中間に設けられており、本体ユニット１０の短手方向に延びる楕円形状を有している。位置決め穴１０ｂの本体ユニット１０の短手方向の長さは幅Ｗ６であり、本体ユニット１０の長手方向の長さは奥行Ｄ６である。幅Ｗ６は凸部５２ｅの幅Ｗ５よりも長く（Ｗ６＞Ｗ５）、奥行Ｄ６は凸部５２ｅの奥行Ｄ５よりも広い（Ｄ６＞Ｄ５）。
【００５６】
次に、実施の形態２に係るメス型コネクタ５２を本体ユニット１０に固定する方法について説明する。まず、メス型コネクタ５２の爪５２ｄを本体ユニット１０の係止穴１０ａの第２の領域に挿入し、その後、メス型コネクタ５２を係止穴１０ａの第１の領域へスライドさせる。
【００５７】
このとき、メス型コネクタ５２の凸部５２ｅは、メス型コネクタ５２の底面５２２から高さＨ３飛び出しているため本体ユニット１０の表面に接触し、押し付けられながらスライドされる。しかし、メス型コネクタ５２の凸部５２ｅは表面がスライド方向に傾斜しているため、本体ユニット１０の表面と接触する部分が少なく、メス型コネクタ５２の第２の領域から第１の領域へのスライドはスムーズに行うことが出来る。
【００５８】
そして、メス型コネクタ５２をさらに係止穴１０ａの第１の領域へ移動させていくと、メス型コネクタ５２の凸部５２ｅが位置決め穴１０ｂに嵌合する。これにより、メス型コネクタ５２が本体ユニット１０に固定される。
【００５９】
以上説明したように、メス型コネクタの底面から突出する凸部が本体ユニットに形成された位置決め穴に嵌合することにより、メス型コネクタが本体ユニットに固定される。電源配線に張力が加わった場合であっても、メス型コネクタが位置決め穴の第２の領域に移動することはなく、メス型コネクタの凸部が位置決め穴から抜けない限り、本体ユニットからメス型コネクタが外れることはない。よって、電源配線に張力が加わった場合であっても本体ユニットから外れにくいコネクタを提供することができる。
【００６０】
実施の形態３．
本実施の形態３では、本実施の形態２とは別の形態によって、電源配線に張力が加わった場合であっても本体ユニットから外れにくいコネクタについて説明する。
【００６１】
本実施の形態３に係る照明器具の基本構成は、実施の形態１に係る照明器具１と同様であり、メス型コネクタの底面に形成された凹部（空間）と、本体ユニットの内側の表面に凹部が嵌合する舌片が形成された点のみが異なる。実施の形態１と同一又は同等な構成部分については同一符号を付し、その説明を省略する。
【００６２】
実施の形態３に係る照明器具に備えられたメス型コネクタについて、図１０、１１を参照して説明する。図１０は実施の形態３に係る照明器具に備えられたメス型コネクタの構造を示す斜視図、図１１は、実施の形態３に係る照明器具に備えられたメス型コネクタが本体ユニットに形成された舌片と嵌合した状態を示す図であり、図１１（ａ）はメス型コネクタの側面と平行な面で切断した断面図、図１１（ｂ）は、本体ユニットの表面の裏側から眺めた平面図である。
【００６３】
なお、メス型コネクタ５２の底面５２２から天面５２１に延びる方向を高さ方向、底面５２２から天面５２１に延びる方向を高さ方向、メス型コネクタ５２の第１の正面５２３ａから背面５２４に延びる方向を奥行方向、メス型コネクタ５２の第１の側面５２５から第２の側面５２６に延びる方向を幅方向とする。
【００６４】
本実施の形態３に係る照明器具１に備えられたメス型コネクタ５２には、第１の側面５２５と第２の側面５２６との間に第１の側面５２５と第２の側面５２６と平行する第３の側面５２７と第４の側面５２８とが形成され、第３の側面５２７と第４の側面５２８とによって、メス型コネクタ５２の底面５２２と背面５２４に開口する空間５２ｆが形成されている。空間５２ｆは幅方向においてメス型コネクタ５２の中心に位置している。なお、必ずしも中心でなくてもよい。
【００６５】
空間５２ｆは本体ユニット１０に形成された後述する舌片１０ｃが保持される空間（凹部）であり、空間５２ｆの底面５２２からの高さは高さＨ４、空間５２ｆの奥行は奥行Ｄ７、空間５２ｆの幅は幅Ｗ７である。
【００６６】
また、本体ユニット１０内部の表面にはメス型コネクタ５２の空間５２ｆに保持される舌片１０ｃが形成されている。舌片１０ｃは、本体ユニット１０の第１の係止穴１０１ａの第１の領域と第２の係止穴１０２ａの第１の領域の中間に設けられており、本体ユニット１０の表面の一部を、係止穴１０ａの長手方向と平行に延びる矩形状に切り起こしたものである。なお、必ずしも係止穴１０１ａの第１の領域と第２の係止穴１０２ａの第１の領域の中間でなくてもよい。
【００６７】
舌片１０ｃは、本体ユニット１０の表面において、本体ユニット１０の係止穴１０ａの長手方向と平行に延びる矩形の４辺のうち、短手方向に延びる２本の短辺のうちの１辺と、長手方向に延びる２本の長辺に切込みを入れ、切込みを入れた短辺を、切込みを入れていない短辺に向かって起こすことで形成され、弾性を有している。
【００６８】
なお、本体ユニット１０の係止穴１０ａの第１の領域を奥側、第２の領域を手前側とした場合、２本の短辺のうち切込みを入れた短辺は、手前側の短辺である。本体ユニット１０は剛性のある金属で形成されているため、舌片１０ｃは押し付けられる力に対して歪みにくい性質を有している。
【００６９】
舌片１０ｃが空間５２ｆ内に保持されていない場合、舌片１０ｃの本体ユニット１０の表面からの高さは高さＨ５であり、空間５２ｆの高さＨ４よりも高い（Ｈ５＞Ｈ４）。また舌片１０ｃの奥行は奥行Ｄ８であり空間５２ｆの奥行Ｄ７より狭く（Ｄ７＞Ｄ８）、舌片１０ｃの幅は幅Ｗ８であり、空間５２ｆの幅Ｗ７よりも狭い（Ｗ７＞Ｗ８）。
【００７０】
舌片１０ｃの高さＨ５は空間５２ｆの高さＨ４よりも高いが、舌片１０ｃは弾性を有し本体ユニット１０の表面よりも裏面側にしなるため、空間５２ｆに嵌合することができる。また、舌片１０ｃは剛性を有しているため、空間５２ｆ内に保持された場合、空間５２ｆ内で押し付けられる力に対して反発力が働くことで、メス型コネクタ５２を保持することができる。
【００７１】
次に、実施の形態３に係るメス型コネクタ５２を本体ユニット１０に固定する方法について説明する。まず、メス型コネクタ５２の爪５２ｄを本体ユニット１０の係止穴１０ａの第２の領域に挿入し、その後、メス型コネクタ５２を係止穴１０ａの第１の領域へスライドさせる。メス型コネクタ５２を係止穴１０ａの第１の領域へ移動させていくと、メス型コネクタ５２の空間５２ｆに本体ユニット１０の表面に切り起こされた舌片１０ｃが入り込む。
【００７２】
すると、舌片１０ｃの高さＨ５よりも空間５２ｆの高さＨ４の方が低いため、舌片１０ｃがメス型コネクタ５２を、本体ユニットの裏面から表面に向かう上方向に押さえつける。この時、メス型コネクタ５２の爪は係止穴１０ａに係止されているため、上方向の動きは制限される。これにより、メス型コネクタ５２が本体ユニット１０に保持される。これにより、メス型コネクタ５２が本体ユニット１０に固定される。
【００７３】
以上説明したように、本体ユニットの表面に切り起こされた舌片がメス型コネクタに形成された空間に保持されることにより、メス型コネクタが本体ユニットに固定される。電源配線に張力が加わった場合であっても、メス型コネクタが係止穴の第２の領域に移動することはなく、本体ユニットの舌片がメス型コネクタの空間から抜けない限り、本体ユニットからメス型コネクタが外れることはない。よって、電源配線に張力が加わった場合であっても本体ユニットから外れにくいコネクタを提供することができる。
【００７４】
なお、本実施の形態３に係るメス型コネクタに形成された空間と実施の形態２に係るメス型コネクタに形成された凸部は組み合わせて形成することができ、組み合わせることでよりコネクタを本体ユニットからより外れにくくすることができる。なお、凹部と空間を形成する場合、本体ユニットには、位置決め穴と舌片が形成され、位置決め穴は、舌片の切込みを入れていない短辺よりも、切込みを入れた短辺の近くに形成されており、凸部は空間よりもメス型コネクタの正面寄りに形成され、空間は凸部よりもメス型コネクタの背面寄りに形成されている。
【００７５】
実施の形態４．
本実施の形態４では、本実施の形態２，３とは異なる別の形態によって、電源配線に張力が加わった場合であっても本体ユニットから外れにくいコネクタについて説明する。
【００７６】
本実施の形態４に係る照明器具の基本構成は、実施の形態１に係る照明器具１と同様であり、メス型コネクタの底面に形成された凹部と、本体ユニットの内側の表面に凹部が嵌合する舌片が形成された点のみが異なる。実施の形態１と同一又は同等な構成部分については同一符号を付し、その説明を省略する。
【００７７】
実施の形態４に係る照明器具に備えられたメス型コネクタについて、図１２、１３を参照して説明する。図１２は実施の形態４に係る照明器具に備えられたメス型コネクタの構造を示す斜視図、図１３は、実施の形態４に係る照明器具に備えられたメス型コネクタが本体ユニットに形成された舌片と嵌合した状態を示す図であり、図１３（ａ）はメス型コネクタの側面と平行な面で切断した断面図、図１３（ｂ）は、本体ユニットの表面の裏側から眺めた平面図である。
【００７８】
なお、メス型コネクタ５２の底面５２２から天面５２１に延びる方向を高さ方向、底面５２２から天面５２１に延びる方向を高さ方向、メス型コネクタ５２の第１の正面５２３ａから背面５２４に延びる方向を奥行方向、メス型コネクタ５２の第１の側面５２５から第２の側面５２６に延びる方向を幅方向とする。
【００７９】
本実施の形態４に係る照明器具１に備えられたメス型コネクタ５２には、メス型コネクタ５２の底面５２２と正面面５２３に開口する凹部５２ｇが形成されている。凹部５２ｇは幅方向においてメス型コネクタ５２の中心に位置している。なお、必ずしも中心でなくてもよい。
【００８０】
凹部５２ｇは本体ユニット１０に形成された後述する舌片１０ｄが保持される凹部（空間）であり、凹部５２ｇの底面５２２からの高さは高さＨ６、凹部５２ｇの奥行は奥行Ｄ９、凹部５２ｇの幅は幅Ｗ９である。
【００８１】
また、本体ユニット１０内部の表面にはメス型コネクタ５２の凹部５２ｇに保持される舌片１０ｄが形成されている。舌片１０ｄは、本体ユニット１０の第１の係止穴１０１ａと第２の係止穴１０２ａの中間に設けられており、本体ユニット１０の係止穴１０ａの長手方向と平行に延びる矩形状を有している。なお、必ずしも係止穴１０１ａと第２の係止穴１０２ａの中間でなくてもよい。
【００８２】
舌片１０ｄは、本体ユニット１０の係止穴１０ａの長手方向と平行に延びる矩形の４辺のうち、短手方向に延びる２本の短辺のうちの１辺と、長手方向に延びる２本の長辺に切込みを入れ、切込みを入れた短辺を本体ユニット１０の表面に起こすことで形成され、弾性を有している。
【００８３】
なお、本体ユニット１０の係止穴１０ａの第１の領域を奥側、第２の領域を手前側とした場合、２本の短辺のうち切込みを入れた短辺は、奥側の短辺である。また、本体ユニット１０は剛性のある金属で形成されているため、舌片１０ｄは押し付けられる力に対して歪みにくい性質を有している。
【００８４】
舌片１０ｄが凹部５２ｇ内に保持されていない場合、舌片１０ｄの本体ユニット１０の表面からの切り起こし高さは高さＨ７であり、凹部５２ｇの高さＨ６よりも高く（Ｈ７＞Ｈ６）、舌片１０ｄの幅は幅Ｗ１０であり、凹部５２ｇの幅Ｗ９よりも狭い（Ｗ９＞Ｗ１０）。また、舌片１０ｄの奥行は奥行Ｄ１０であり本実施の形態では凹部５２ｇの奥行Ｄ９より狭いが、同じでも広くても良い。
【００８５】
次に、実施の形態４に係るメス型コネクタ５２を本体ユニット１０に固定する方法について説明する。まず、メス型コネクタ５２の爪５２ｄを本体ユニット１０の係止穴１０ａの第２の領域に挿入し、その後、メス型コネクタ５２を係止穴１０ａの第１の領域へスライドさせる。
【００８６】
舌片１０ｄの本体ユニット１０の表面からの切り起こし高さは高さＨ６であり、舌片１０ｄは本体ユニット１０から高さＨ６飛び出しているが、舌片１０ｄは弾性を有しており、メス型コネクタ５２の底面５２２によって本体ユニット１０の表面の裏側へ押し付けられるため、メス型コネクタ５２の第２の領域から第１の領域へのスライドはスムーズに行うことが出来る。
【００８７】
そして、メス型コネクタ５２を係止穴１０ａの第１の領域へ移動させていくと、メス型コネクタ５２の凹部５２ｇに、メス型コネクタ５２の底面５２２によって押さえつけられていた舌片１０ｃが飛び出し、メス型コネクタ５２を、本体ユニットの裏面から表面に向かう上方向に押さえつける。この時、メス型コネクタ５２の爪は係止穴１０ａに係止されているため、上方向の動きは制限される。これにより、メス型コネクタ５２が本体ユニット１０に固定される。
【００８８】
以上説明したように、本体ユニットの表面に切り起こされた舌片がメス型コネクタに形成された凹部に保持されることにより、メス型コネクタが本体ユニットに固定される。電源配線に張力が加わった場合であっても、メス型コネクタが係止穴の第２の領域に移動することはなく、本体ユニットの舌片がメス型コネクタの凹部から抜けない限り、本体ユニットからメス型コネクタが外れることはない。よって、電源配線に張力が加わった場合であっても本体ユニットから外れにくいコネクタを提供することができる。
【００８９】
なお、本実施の形態４に係るメス型コネクタに形成された凹部と実施の形態２に係るメス型コネクタに形成された凸部、本実施の形態３に係るメス型コネクタに形成された凹部は組み合わせて形成しても良い。
【００９０】
実施の形態５．
実施の形態１では、コネクタ同士の着脱方向とコネクタの本体ユニットへのスライド方向が等しいやめ、コネクタ同士を着脱させる際、コネクタの爪が本体ユニットに形成された係止穴を移動しコネクタが動くためにコネクタ同士の着脱作業が困難であった。そこで、本実施の形態５では、コネクタ同士の着脱作業が容易なコネクタについて説明する。
【００９１】
本実施の形態５に係る照明器具の基本構成は、実施の形態１に係る照明器具１と同様であり、メス型コネクタの爪及び、本体ユニットの内側の表面に形成された係止穴の形状のみが異なる。実施の形態１と同一又は同等な構成部分については同一符号を付し、その説明を省略する。
【００９２】
実施の形態５に係る照明器具に備えられたメス型コネクタについて、図１４、１５を参照して説明する。図１４は実施の形態５に係る照明器具に備えられたメス型コネクタの構造を示す斜視図、図１５は、実施の形態５に係る照明器具に備えられたメス型コネクタが本体ユニットに形成された穴と嵌合した状態を示す平面図であり、図１５（ａ）はメス型コネクタの側面と平行な面で切断した断面図、図１５（ｂ）は、本体ユニットの表面の裏側から眺めた図である。
【００９３】
なお、メス型コネクタ５２の底面５２２から天面５２１に延びる方向を高さ方向、底面５２２から天面５２１に延びる方向を高さ方向、メス型コネクタ５２の第１の正面５２３ａから背面５２４に延びる方向を奥行方向、メス型コネクタ５２の第１の側面５２５から第２の側面５２６に延びる方向を幅方向とする。また、メス型コネクタ５２の爪５２ｄが本体ユニット１０に係合された際に、本体ユニット１０における、メス型コネクタ５２が固定される面に投影される形状を投影形状とし、投影形状の面積を投影面積とする。
【００９４】
本体ユニット１０内部の表面には点灯装置３０から延びる第１の配線５１の端部に設けられたメス型コネクタ５２が嵌め込まれる係止穴１０ｅが形成されている。図１５（ｂ）に示すように、係止穴１０ｅは、本体ユニット１０の短手方向に延びる長尺状の第１の領域と長尺状の第２の領域とで形成されている。第１の領域の短手方向の一番短い幅は奥行Ｄ１１であり、第２の領域の短手方向の幅は奥行Ｄ１２であり、奥行Ｄ１１は奥行Ｄ１２よりも狭い。
【００９５】
また、第１の領域の長手方向の長さは幅Ｗ１１であり、第２の領域の長手方向の長さは幅Ｗ１２である。幅Ｗ１１は幅Ｗ１２よりも長い方が好ましいが、同じ長さであっても、幅Ｗ１２の方が長くても良い。
【００９６】
第１の領域と第２の領域は長手方向に隣接し、互いに連通している。また、第１の領域と第２の領域の長手方向に延びる中心線は一致し、第２の領域は第１の領域よりも短手方向に長い幅を有している。なお第１の領域における、第２の領域と連通する端部は傾斜した幅を有しており、第２の領域との接点部分の幅は奥行Ｄ１２である。
【００９７】
本実施の形態５に係る照明器具１に備えられたメス型コネクタ５２の筐体の底面５２２には、本体ユニット１０の係止穴１０ｅに係止される爪５２ｈが形成されている。爪５２ｈは、幅方向においてメス型コネクタ５２の中心に位置しているが、必ずしも中心でなくてもよい。
【００９８】
爪５２ｈは、メス型コネクタ５２の筐体において、挿入口５２ａが形成された第２の正面５２３ｂと直交する面、すなわち、メス型コネクタ５２の側面と平行な断面において、Ｔ字が逆さを向いた形状を有しており、本体ユニット１０に引っかかる台形形状の断面を有する引掛り部５２１ｈと、引掛り部５２１ｈの支えとなる矩形状の断面を有する支持部５２２ｈから構成されている。
【００９９】
爪５２ｈの引掛り部５２１ｈは、メス型コネクタ５２を本体ユニット１０に固定する際、本体ユニット１０の係止穴１０ｅに差し込まれ、本体ユニット１０を介してメス型コネクタ５２の筐体と反対側の面に突出する部分であり、爪５２ｈの支持部５２２ｈは、メス型コネクタ５２が本体ユニット１０に固定された場合に本体ユニット１０の係止穴１０ｅに差し込まれている部分である。
【０１００】
図１５（ａ）に示すように、爪５２ｈの支持部５２２ｈは、メス型コネクタ５２の底面５２２から延びており、底面５２２から引掛り部５２１ｈまでの高さは高さＨ８である。支持部５２２ｈの高さＨ８は、メス型コネクタ５２が固定される本体ユニット１０の表面の厚さＴ１よりも長い。また、支持部５２２ｈは筐体の底面５２２と平行に延びる奥行Ｄ１３を有し、爪５２ｈの引掛り部５２１ｈは、奥行Ｄ１３よりも長い奥行Ｄ１４を有している。
【０１０１】
図１５（ｂ）に示すように、爪５２ｈの支持部５２２ｈの奥行Ｄ１４は、本体ユニット１０の係止穴１０ｅの第１の領域の奥行Ｄ１１及び第２の領域の奥行Ｄ１２よりも狭く、爪５２ｈの引掛り部５２１ｈの奥行Ｄ１４は、本体ユニット１０の係止穴１０ｅの第１の領域の奥行Ｄ１１より広く、第２の領域の奥行Ｄ１２よりも狭い。
【０１０２】
また、爪５２ｈは、メス型コネクタ５２の筐体において、挿入口５２ａが形成された第２の正面５２３ｂと平行に延びる幅を有しており、爪５２ｈの引掛り部５２１ｈの幅は幅Ｗ１３、支持部５２２ｈの幅は幅Ｗ１４であり、幅Ｗ１３と幅Ｗ１４は等しい。
【０１０３】
爪５２ｈの支持部５２２ｈの投影形状の対角線の長さは長さＬ２であり、本体ユニット１０の係止穴１０ｅの第１の領域の奥行Ｄ１１よりも長い。このように、本体ユニット１０の係止穴１０ｅの短手方向の長さより、係止穴１０ｅに差し込まれる支持部５２２ｈの対角線方向の長さの方が長いため、爪５２ｈが係止穴１０ｅで回転することを防止することができる。
【０１０４】
なお、爪５２ｈの断面形状はＴ字形状に限定されず、メス型コネクタ５２の筐体側への移動を制限するため、引掛り部５２１ｈの奥行Ｄ１４は、支持部５２２ｈの奥行Ｄ１３よりも長い幅を有していればその他の形状でもよい。
【０１０５】
次に、メス型コネクタ５２を本体ユニット１０に固定する方法について説明する。まず、メス型コネクタ５２の爪５２ｈを本体ユニット１０の係止穴１０ｅの第２の領域に挿入し、その後、メス型コネクタ５２を係止穴１０ｅの第１の領域へスライドさせる。
【０１０６】
爪５２ｈの引掛り部５２１ｈは、引掛り部５２１ｈの幅よりも広い幅を有する係止穴１０ｅの第２の領域を抵抗なく通過した後、係止穴１０ｅの第１の領域へ移動するが、第１の領域の幅は引掛り部５２１ｈの幅よりも狭いため、爪５２ｈの引掛り部５２１ｈは本体ユニット１０に引掛り、メス型コネクタ５２が本体ユニット１０に固定される。そして、カバー部材２０を本体ユニット１０に取り付けて作業が完了する。
【０１０７】
以上説明したように、メス型コネクタコネクタとオス型コネクタのうち、一方のコネクタが本体ユニットに固定されているため、コネクタを周辺の部材とぶつからない位置や、電源配線に張力が加わらない位置に固定させることができるので、異音の発生や不安定な通電状態を防ぐことができる。
【０１０８】
また、コネクタの爪の引掛り部の面積よりも広い穴と狭い穴を連通させた係止穴を設けることで、抵抗なく差し込むことができる広い穴に挿入した後、狭い穴に移動させ、コネクタが本体ユニットに固定される構成にしたので、コネクタを容易に本体ユニットに固定させることができるとともに、コネクタが着脱によって変形する恐れがなく、繰り返し使用することができる経済的なコネクタを提供することができる。
【０１０９】
さらに、コネクタ同士を嵌合させる際や、コネクタ同士を外す際にコネクタの爪が本体ユニットに形成された係止穴を移動しコネクタが動くためにコネクタ同士の着脱作業が行いにくいが、爪はコネクタの挿入口と直交する方向に延び、コネクタの挿入口と直交する方向にスライドさせて本体ユニットに固定させるため、スライド方向がコネクタの挿入方向と異なるので、コネクタ同士の着脱する作業を容易に行うことできるコネクタを提供することができる。
【０１１０】
なお、本実施の形態５に係るメス型コネクタに形成された爪と実施の形態２に係るメス型コネクタに形成された凸部、本実施の形態３に係るメス型コネクタに形成された凹部、本実施の形態３に係るメス型コネクタに形成された凹部を組み合わせて形成しても良い。なお、組み合わせた場合、凸部や凹部は爪のスライド方向に形成され、本体ユニットに形成された穴も凸部や凹部に対応した位置に形成される。
【符号の説明】
【０１１１】
１  照明器具、１０  本体ユニット、１０ａ  係止穴、１０１ａ  第１の係止穴、１０２ａ  第２の係止穴、１０ｂ  位置決め穴、１０ｃ  舌片、１０ｄ  舌片、１０ｅ  係止穴、１１  電源端子台、２０  カバー部材、３０  点灯装置、４０  光源ユニット、５１  第１の配線、５２  メス型コネクタ、５２１  天面、５２２  底面、５２３  正面、５２３ａ  第１の正面、５２３ｂ  第２の正面、５２４  背面、５２５  第１の側面、５２６  第２の側面、５２７  第３の側面、５２８  第４の側面、５２ａ  コネクタ挿入口、５２ｂ  電線挿入口、５２ｃ  嵌合部、５２ｄ  爪、５２１ｄ  引掛り部、５２２ｄ  支持部、５２ｅ  凸部、５２ｆ  空間、５２ｇ  凹部、５２ｈ  爪、５２１ｈ  引掛り部、５２２ｈ  支持部５３  端子接続部、６０  電源端子台配線、６１  第２の配線、６２  オス型コネクタ。
【図１】
0006705297.tif 000002
【図２】
0006705297.tif 000003
【図３】
0006705297.tif 000004
【図４】
0006705297.tif 000005
【図５】
0006705297.tif 000006
【図６】
0006705297.tif 000007
【図７】
0006705297.tif 000008
【図８】
0006705297.tif 000009
【図９】
0006705297.tif 000010
【図１０】
0006705297.tif 000011
【図１１】
0006705297.tif 000012
【図１２】
0006705297.tif 000013
【図１３】
0006705297.tif 000014
【図１４】
0006705297.tif 000015
【図１５】
0006705297.tif 000016